【事件の表示】
　特願２０１５−１１８８９７号「遊技機」拒絶査定不服審判事件〔平成２９年　１月　５日出願公開、特開２０１７−　　　５１４号〕について、次のとおり審決する。
【結　論】
　本件審判の請求は、成り立たない。
【理　由】
第１　手続の経緯
　本願は、平成２７年６月１２日の出願であって、平成２８年４月２６日付けで拒絶理由が通知され、平成２８年７月１１日に意見書及び手続補正書が提出されたところ、平成２８年１１月１６日付けで拒絶査定がなされ、これに対し平成２９年２月２２日に拒絶査定不服審判の請求がなされると同時に明細書及び特許請求の範囲に係る手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載を含む補正であり、平成２８年７月１１日付けの手続補正と本件補正の特許請求の範囲の請求項１の記載はそれぞれ、以下のとおりである（下線部は、本件補正箇所を示す。）。
（補正前：平成２８年７月１１日付け手続補正）
「【請求項１】
　所定条件の成立を契機に当り抽選を行う抽選手段と、
　前記抽選手段での抽選結果に基づいて複数の絵柄を変動表示可能な表示手段と、
　遊技者が操作可能な操作手段と、
　前記操作手段に関連する操作演出を実行可能な操作演出実行手段と、
　前記操作手段の操作検出が無効な検出無効状態と、操作検出が有効な検出有効状態とに切り換え可能な切換手段と、を備え、
　前記操作演出実行手段は、
　前記検出無効状態中に、遊技者に対して前記検出有効状態への切り換えを示唆する誘導報知を実行可能な誘導報知手段と、
　前記検出有効状態中に、少なくとも、遊技者に対して前記操作手段の操作を促すための第１操作報知と、該第１操作報知とは異なる第２操作報知とを実行可能な操作報知手段と、を備え、
　前記誘導報知手段は、前記操作報知手段により前記第１操作報知と前記第２操作報知とのいずれが実行される場合においても、前記誘導報知の開始から該第１操作報知又は第２操作報知が開始するまでの期間に亘って、共通の該誘導報知を実行可能であり、
　前記誘導報知は、前記操作手段を模した画像が形成されていく表示態様の画像表示であることを特徴とする遊技機。」
（補正後：本件補正である平成２９年２月２２日付け手続補正）
「【請求項１】
　所定条件の成立を契機に当り抽選を行う抽選手段と、
　前記抽選手段での抽選結果に基づいて複数の絵柄を変動表示可能な表示手段と、
　遊技者が操作可能な操作手段と、
　前記操作手段に関連する操作演出を実行可能な操作演出実行手段と、
　前記操作手段の操作検出が無効な検出無効状態と、操作検出が有効な検出有効状態とに切り換え可能な切換手段と、を備え、
　前記操作演出実行手段は、
　前記検出無効状態中に、遊技者に対して前記検出有効状態への切り換えを示唆する誘導報知を実行可能な誘導報知手段と、
　前記検出有効状態中に、少なくとも、遊技者に対して前記操作手段の操作を促すための第１操作報知と、該第１操作報知とは異なる第２操作報知とを実行可能な操作報知手段と、を備え、
　前記誘導報知手段は、前記操作報知手段により前記第１操作報知と前記第２操作報知とのいずれが実行される場合においても、前記誘導報知の開始から該第１操作報知又は第２操作報知が開始するまでの期間に亘って、共通の該誘導報知を実行可能であり、
　前記誘導報知は、前記操作手段を模した画像が
徐々に
２．補正の適否
　本件補正は、補正前の請求項１に記載された発明を特定するために必要な事項である「誘導報知手段」の「誘導報知」について、補正前の「前記誘導報知は、前記操作手段を模した画像が形成されていく表示態様の画像表示であること」なる記載に「徐々に」との限定を付加する補正を行うものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　そして、本件補正は新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同様第１２６条第７項の規定に適合するか否か、について以下に検討する。
（１）本件補正後の請求項１に係る発明
　本件補正後の請求項１に係る発明（以下、「本件補正発明」という。）は、上記１．の本件補正の概要において示した次のとおりのものである（Ａ〜Ｉは本件補正発明を分説するため当審で付与した。）。
「Ａ　所定条件の成立を契機に当り抽選を行う抽選手段と、
Ｂ　前記抽選手段での抽選結果に基づいて複数の絵柄を変動表示可能な表示手段と、
Ｃ　遊技者が操作可能な操作手段と、
Ｄ　前記操作手段に関連する操作演出を実行可能な操作演出実行手段と、
Ｅ　前記操作手段の操作検出が無効な検出無効状態と、操作検出が有効な検出有効状態とに切り換え可能な切換手段と、を備え、
Ｆ　前記操作演出実行手段は、
Ｆ−１　前記検出無効状態中に、遊技者に対して前記検出有効状態への切り換えを示唆する誘導報知を実行可能な誘導報知手段と、
Ｆ−２　前記検出有効状態中に、少なくとも、遊技者に対して前記操作手段の操作を促すための第１操作報知と、該第１操作報知とは異なる第２操作報知とを実行可能な操作報知手段と、を備え、
Ｇ　前記誘導報知手段は、前記操作報知手段により前記第１操作報知と前記第２操作報知とのいずれが実行される場合においても、前記誘導報知の開始から該第１操作報知又は第２操作報知が開始するまでの期間に亘って、共通の該誘導報知を実行可能であり、
Ｈ　前記誘導報知は、前記操作手段を模した画像が徐々に形成されていく表示態様の画像表示である
Ｉ　ことを特徴とする遊技機。」
（２）引用文献に記載された事項
　原査定の拒絶の理由に引用された特開２０１５−５１１１５号公報（以下、「引用文献」という。）には、次の事項が記載されている（下線は当審で付した。）。
（ア）「【００３２】
［パチンコ遊技機１の操作手段の構成例］
　図２に例示されるように、枠部材３には、遊技者が操作する操作手段として、演出ボタン２６及び十字キー２７が設けられている。
演出ボタン２６は、遊技者が押下することによって操作情報を入力するための押ボタンである
（イ）「【００４５】
　まず、図５及び図６を参照して、突出状態を表す示唆画像が表示される場合の演出の一例について説明する。まず、例えば
第１始動口１１に遊技球が入賞すると、第１特別図柄表示器４１において特別図柄の変動表示が開始され、これに伴い、液晶表示装置５に３列表示された装飾図柄が例えば上から下にスクロールするように、装飾図柄５０の変動表示が開始される
（ウ）「【００７１】
　
メインＣＰＵ１０１は、第１始動口スイッチ１１１からの検知信号が入力されたタイミングで取得情報としての各種乱数を取得し、取得した乱数を用いて第１特別図柄判定を実行する
（エ）「【０１５８】
　リーチ有り演出を行うと決定されたと判定した場合（ステップＳ１０５０：ＹＥＳ）、
サブＣＰＵ１３１は、変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定する（ステップＳ１０５１）
・・・
【０１６１】
　示唆演出を実行しないと判定された場合（ステップＳ１０５３：ＮＯ）、後述するステップＳ１０６０に処理が進められる。一方、示唆演出を実行すると判定した場合（ステップＳ１０５３：ＹＥＳ）、
サブＣＰＵ１３１は、ボタン演出の内容に応じて示唆演出の演出内容（示唆画像の内容及び表示パターン）を決定する（ステップＳ１０５４）
（オ）「【０１８７】
　ステップＳ６０７の処理を実行した場合、又は、ステップＳ６０８の処理を実行した場合、ランプＣＰＵ１５１は、ボタンランプ９８の点灯開始タイミングが到来したか否かを判定する（ステップＳ６０９）。ここで、
ボタンランプ９８の点灯開始タイミングは、ボタン演出の開始タイミング、換言すれば、演出ボタン２６の有効期間の開始タイミングである
（カ）「【０１９２】
［本実施形態の作用効果］
　以上に説明した本実施形態によれば、パチンコ遊技機１は、操作可能な操作手段（演出ボタン２６）を備え、始動条件の成立に応じて、有利な特別遊技を実行するか否かを判定して当該判定の結果に応じて特別遊技（大当たり遊技）を実行する。ここで、
パチンコ遊技機１
・
所定期間において、演出ボタン２６に対する操作を促す操作画像（ボタン画像５２又は５４）を第１の態様で画面に表示する操作画像表示手段（Ｓ１０５１）
・
上記所定期間の前に、上記ボタン画像の表示を示唆するための示唆画像として、ボタン画像と実質的に同じ表示位置に、ボタン画像と実質的に同じ形状の画像を、第２の態様で（半透明で）表示する示唆画像表示手段（Ｓ１０５４）
【０１９３】
　上記の構成によれば、
示唆画像による示唆演出によってボタン演出の実行を示唆する
【０１９４】
　また、本実施形態のように、
示唆画像を、ボタン画像よりも不明瞭な態様で（半透明で）表示することによって、遊技者は示唆画像とボタン画像とを容易に区別することができる
・・・
【０１９７】
　また、上記実施形態においては、
上記示唆画像表示手段は、上記第２の態様（半透明）で表示される示唆画像を、所定期間（ボタン画像５４の表示期間）が近づくにつれて第１の態様（通常の表示態様）に次第に近づくように表示態様を変化させる
（キ）「【０２００】
　図２３は、上記実施形態の変形例におけるボタン演出及び示唆演出の一例について説明するための説明図である。本変形例において、
液晶表示装置５に表示される装飾図柄５０の変動が開始された図２３後、示唆画像５６が表示される
【０２０１】
　本変形例においては、初期変化期間において、示唆画像５６は、突出状態に近づくようにその形状が変化し、さらに、示唆画像５６の変化に合わせて演出ボタン２６も突出状態に近づくように変化する（図２３（Ｂ）参照）。なお、
図２３では示唆画像５６の透明度（濃さ）は変化しないが、他の実施形態においては、上記実施形態と同様に示唆画像５６の透明度を変化させるようにしてもよい。すなわち、示唆画像５６の形状及び透明度の両方を変化させるようにしてもよい
【０２０２】
　ここで、
本変形例においては、示唆画像５６が表示される示唆演出が行われる場合、突出状態でボタン演出が行われる場合（図２３（Ｃ），（Ｄ）参照）と、通常状態でボタン演出が行われる場合（図２３（Ｅ），（Ｆ）参照）とがある
【０２０３】
　
突出状態でボタン演出が行われる場合には、初期変化期間の経過後も、示唆画像５６は、突出状態に近づくようにその形状が変化し、演出ボタン２６も突出状態に近づくように変化する（図２３（Ｃ）参照）。そして、ボタン演出が開始されるタイミングで、示唆画像５６は、突出状態の演出ボタン２６を表すボタン画像５２に変化し、「押せ！」というメッセージ及びゲージ５３が表示される。また、演出ボタン２６は突出状態となり、ボタンランプ９８は上記実施形態と同様に点灯する
【０２０４】
　一方、
通常状態でボタン演出が行われる場合には、初期変化期間の経過後、示唆画像５６は、通常状態に近づくようにその形状が変化し、演出ボタン２６も通常状態に近づくように変化する（図２３（Ｅ）参照）。つまり、示唆画像５６及び演出ボタン２６は、元の状態（示唆演出開始時の状態）に戻るように変化する。そして、ボタン演出が開始されるタイミングで、示唆画像５６は、通常状態の演出ボタン２６を表すボタン画像５５に変化し、「押せ！」というメッセージ及びゲージ５３が表示される。また、演出ボタン２６は通常状態となり、ボタンランプ９８は上記実施形態と同様に点灯する
・・・
【０２０８】
　なお、上記実施形態及び変形例においては、示唆演出の実行中に示唆画像が変化する場合を説明したが、他の実施形態においては、
示唆演出の実行中に示唆画像の表示形態や形状を変化させずに示唆画像を表示してもよい
　なお、上記（カ）の【０１９２】には「ボタン画像５２又は５４」と記載され、【０１９７】には「ボタン画像５４」と記載されているものの、下記【０２０３】の「ボタン画像５２」、【０２０４】の「ボタン画像５５」なる記載を参酌すれば、上記【０１９２】の「ボタン画像５２又は５４」は「ボタン画像５２又は５５」の誤記であること、【０１９７】の「ボタン画像５４」は「ボタン画像５５」の誤記であることは明らかである（以下、【０１９２】の「ボタン画像５２又は５４」は「ボタン画像５２又は５５」、【０１９７】の「ボタン画像５４」は「ボタン画像５５」とする）。
　上記（ア）〜（キ）の記載事項から、以下の事項がいえる。なお、（ａ）〜（ｉ）は、本件補正発明の構成Ａ〜Ｉに対応した事項を示している。
（ａ）上記（ウ）の【００７１】には「メインＣＰＵ１０１は、第１始動口スイッチ１１１からの検知信号が入力されたタイミングで取得情報としての各種乱数を取得し、取得した乱数を用いて第１特別図柄判定を実行する」と記載されている。
　したがって、引用文献１には、
第１始動口スイッチ１１１からの検知信号が入力されたタイミングで取得情報としての各種乱数を取得し、取得した乱数を用いて第１特別図柄判定を実行するメインＣＰＵ１０１
（ｂ）上記（イ）の【００４５】には「第１始動口１１に遊技球が入賞すると、第１特別図柄表示器４１において特別図柄の変動表示が開始され、これに伴い、液晶表示装置５に３列表示された装飾図柄が例えば上から下にスクロールするように、装飾図柄５０の変動表示が開始される」と記載されている。
　したがって、引用文献１には、
第１始動口１１に遊技球が入賞すると、第１特別図柄表示器４１において特別図柄の変動表示が開始され、これに伴い、３列表示された装飾図柄が上から下にスクロールするように、装飾図柄５０の変動表示が開始される液晶表示装置５
（ｃ）上記（ア）の【００３２】には「演出ボタン２６は、遊技者が押下することによって操作情報を入力するための押ボタンである」と記載されている。
　したがって、引用文献１には、
遊技者が押下することによって操作情報を入力するための押ボタンである演出ボタン２６
（ｄ）上記（エ）の【０１５８】には「サブＣＰＵ１３１は、変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定する（ステップＳ１０５１）」、【０１６１】には「サブＣＰＵ１３１は、ボタン演出の内容に応じて示唆演出の演出内容（示唆画像の内容及び表示パターン）を決定する（ステップＳ１０５４）」と記載されている。
　したがって、引用文献１には、
変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定し、ボタン演出の内容に応じて示唆演出の演出内容（示唆画像の内容及び表示パターン）を決定するサブＣＰＵ１３１
（ｅ）上記（オ）の【０１８７】には「ボタンランプ９８の点灯開始タイミングは、ボタン演出の開始タイミング、換言すれば、演出ボタン２６の有効期間の開始タイミングである」と記載されているから、演出ボタン２６の有効期間は演出ボタン２６が有効な状態中であるといえ、演出ボタン２６の有効期間の開始タイミング前は演出ボタン２６が有効ではない状態中であるといえる。また、ボタンランプ９８の点灯開始タイミングは、演出ボタン２６の有効期間の開始タイミングであり、このタイミングで演出ボタン２６が有効ではない状態から有効な状態に切り換えられるといえる。そうすると、演出ボタン２６の有効ではない状態と有効な状態とを切り換えるにあたり、切り換えを行うための何らかの手段は備えていることは明らかである。
　したがって、引用文献１には、
演出ボタン２６の有効ではない状態と有効な状態とを切り換える手段
（ｆ）上記（エ）の【０１５８】には「サブＣＰＵ１３１は、変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定する（ステップＳ１０５１）」、【０１６１】には「サブＣＰＵ１３１は、ボタン演出の内容に応じて示唆演出の演出内容（示唆画像の内容及び表示パターン）を決定する（ステップＳ１０５４）」と記載され、上記（カ）の【０１９２】には「所定期間において、演出ボタン２６に対する操作を促す操作画像（ボタン画像５２又は５５）を第１の態様で画面に表示する操作画像表示手段（ステップＳ１０５１）」、「上記所定期間の前に、上記ボタン画像の表示を示唆するための示唆画像として、ボタン画像と実質的に同じ表示位置に、ボタン画像と実質的に同じ形状の画像を、第２の態様で（半透明で）表示する示唆画像表示手段（ステップＳ１０５４）」と記載されているから、サブＣＰＵ１３１は操作画像表示手段と示唆画像表示手段とを備えているといえる。
　したがって、引用文献１には、
サブＣＰＵ１３１は操作画像表示手段と示唆画像表示手段とを備え
（ｆ−１）上記（カ）の【０１９２】には「上記所定期間の前に、上記ボタン画像の表示を示唆するための示唆画像として、ボタン画像と実質的に同じ表示位置に、ボタン画像と実質的に同じ形状の画像を、第２の態様で（半透明で）表示する示唆画像表示手段（ステップＳ１０５４）」、【０１９３】には「示唆画像による示唆演出によってボタン演出の実行を示唆する」と記載されているから、引用文献１には、所定期間の前に、ボタン演出の実行を示唆する示唆演出を行う示唆画像表示手段が記載されているといえる。
　ここで、上記（カ）の【０１９７】には「上記示唆画像表示手段は、上記第２の態様（半透明）で表示される示唆画像を、所定期間（ボタン画像５５の表示期間）が近づくにつれて第１の態様（通常の表示態様）に次第に近づくように表示態様を変化させる」、【０１９２】には「所定期間において、演出ボタン２６に対する操作を促す操作画像（ボタン画像５２又は５５）を第１の態様で画面に表示する操作画像表示手段（ステップＳ１０５１）」と記載されているから、上記「所定期間」とは、ボタン画像５５の表示期間であるといえる。次に、上記（キ）の【０２０４】には「ボタン演出が開始されるタイミングで、示唆画像５６は、通常状態の演出ボタン２６を表すボタン画像５５に変化し、「押せ！」というメッセージ及びゲージ５３が表示される。また、演出ボタン２６は通常状態となり、ボタンランプ９８は上記実施形態と同様に点灯する」と記載されているから、示唆画像５６がボタン画像５５に変化するとボタンランプ９８も点灯するといえる。ここで、上記ボタン画像５５の表示期間とは、示唆画像５６がボタン画像５５に変化してから後の期間であることから、ボタンランプ９８の点灯開始タイミングから後の期間のことであるといえる。そして、上記（オ）の【０１８７】には「ボタンランプ９８の点灯開始タイミングは、ボタン演出の開始タイミング、換言すれば、演出ボタン２６の有効期間の開始タイミングである」と記載されているから、上記ボタンランプ９８の点灯開始タイミングから後の期間は、演出ボタン２６の有効期間であるといえる。これらのことから、上記「所定期間」とは、演出ボタン２６の有効期間であるといえ、上記「所定期間の前」とは、演出ボタン２６の有効期間の開始タイミング前のことであるといえる。よって、上記（ｅ）で言及したように演出ボタン２６の有効期間の開始タイミング前は演出ボタン２６が有効ではない状態中であるといえるから、上記「所定期間の前」とは、演出ボタン２６が有効ではない状態中であるといえる。
　また、上記（オ）の【０１８７】には「ボタンランプ９８の点灯開始タイミングは、ボタン演出の開始タイミング、換言すれば、演出ボタン２６の有効期間の開始タイミングである」と記載されており、上記（ｅ）で言及したように演出ボタン２６の有効期間は演出ボタン２６が有効な状態中であるといえ、演出ボタン２６の有効期間の開始タイミング前は演出ボタン２６が有効ではない状態中であるといえるから、ボタン演出が開始されることにより、演出ボタン２６の有効期間も開始されるので、上記「示唆演出」の「ボタン演出の実行」により、演出ボタン２６の有効な状態への切り換えも実行されるといえる。そうすると、上記「示唆演出」は、「ボタン演出の実行を示唆する」と同時に演出ボタン２６の有効な状態への切り換えも示唆しているといえる。
　したがって、引用文献１には、
演出ボタン２６の有効ではない状態中に、演出ボタン２６の有効な状態への切り換えを示唆する示唆演出を示唆画像表示手段
（ｆ−２）上記（カ）の【０１９２】には「所定期間において、演出ボタン２６に対する操作を促す操作画像（ボタン画像５２又は５５）を第１の態様で画面に表示する操作画像表示手段（ステップＳ１０５１）」、【０１９７】には「第１の態様（通常の表示態様）」と記載されている。
　また、上記（キ）の【０２０２】には「本変形例においては、示唆画像５６が表示される示唆演出が行われる場合、突出状態でボタン演出が行われる場合（図２３（Ｃ），（Ｄ）参照）と、通常状態でボタン演出が行われる場合（図２３（Ｅ），（Ｆ）参照）とがある」、【０２０３】には「突出状態でボタン演出が行われる場合には、初期変化期間の経過後も、示唆画像５６は、突出状態に近づくようにその形状が変化し、演出ボタン２６も突出状態に近づくように変化する（図２３（Ｃ）参照）。そして、ボタン演出が開始されるタイミングで、示唆画像５６は、突出状態の演出ボタン２６を表すボタン画像５２に変化し、「押せ！」というメッセージ及びゲージ５３が表示される。また、演出ボタン２６は突出状態となり、ボタンランプ９８は上記実施形態と同様に点灯する」、【０２０４】には「通常状態でボタン演出が行われる場合には、初期変化期間の経過後、示唆画像５６は、通常状態に近づくようにその形状が変化し、演出ボタン２６も通常状態に近づくように変化する（図２３（Ｅ）参照）。つまり、示唆画像５６及び演出ボタン２６は、元の状態（示唆演出開始時の状態）に戻るように変化する。そして、ボタン演出が開始されるタイミングで、示唆画像５６は、通常状態の演出ボタン２６を表すボタン画像５５に変化し、「押せ！」というメッセージ及びゲージ５３が表示される。また、演出ボタン２６は通常状態となり、ボタンランプ９８は上記実施形態と同様に点灯する」と記載されている。
　したがって、上記（ｆ−１）で言及したように「所定期間」とは、演出ボタン２６の有効期間といえ、上記（ｅ）で言及したように演出ボタン２６の有効期間は演出ボタン２６が有効な状態中といえるから、引用文献１には、
演出ボタン２６の有効な状態中に、演出ボタン２６に対する操作を促す操作画像である、突出状態の演出ボタン２６を表すボタン画像５２又は通常状態の演出ボタン２６を表すボタン画像５５のいずれか一方を第１の態様（通常の表示態様）で画面に表示する操作画像表示手段
（ｇ）上記（キ）の【０２０２】には「本変形例においては、示唆画像５６が表示される示唆演出が行われる場合、突出状態でボタン演出が行われる場合（図２３（Ｃ），（Ｄ）参照）と、通常状態でボタン演出が行われる場合（図２３（Ｅ），（Ｆ）参照）とがある」、【０２００】には「液晶表示装置５に表示される装飾図柄５０の変動が開始された図２３後、示唆画像５６が表示される」、【０２０３】には「突出状態でボタン演出が行われる場合には、初期変化期間の経過後も、示唆画像５６は、突出状態に近づくようにその形状が変化し、演出ボタン２６も突出状態に近づくように変化する（図２３（Ｃ）参照）。そして、ボタン演出が開始されるタイミングで、示唆画像５６は、突出状態の演出ボタン２６を表すボタン画像５２に変化し、「押せ！」というメッセージ及びゲージ５３が表示される。また、演出ボタン２６は突出状態となり、ボタンランプ９８は上記実施形態と同様に点灯する」、【０２０４】には「通常状態でボタン演出が行われる場合には、初期変化期間の経過後、示唆画像５６は、通常状態に近づくようにその形状が変化し、演出ボタン２６も通常状態に近づくように変化する（図２３（Ｅ）参照）。つまり、示唆画像５６及び演出ボタン２６は、元の状態（示唆演出開始時の状態）に戻るように変化する。そして、ボタン演出が開始されるタイミングで、示唆画像５６は、通常状態の演出ボタン２６を表すボタン画像５５に変化し、「押せ！」というメッセージ及びゲージ５３が表示される。また、演出ボタン２６は通常状態となり、ボタンランプ９８は上記実施形態と同様に点灯する」と記載されており、突出状態でボタン演出が行われる場合と通常状態でボタン演出が行われる場合とのいずれの場合においても、示唆画像５６が表示される示唆演出が行われる場合には、まず、液晶表示装置５に表示される装飾図柄５０の変動が開始された後に示唆画像５６が表示され、その後は、変化する示唆画像５６が表示されており、ボタン演出が開始されるタイミングで、示唆画像５６は、突出状態の演出ボタン２６を表すボタン画像５２又は通常状態の演出ボタン２６を表すボタン画像５５に変化して表示されることが記載されているといえるから、引用文献１には、
示唆画像５６が表示される示唆演出が行われる場合において、突出状態でボタン演出が行われる場合と通常状態でボタン演出が行われる場合とがある場合、液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間にわたって該示唆画像５６を表示し
　また、上記（キ）の【０２０１】には「図２３では示唆画像５６の透明度（濃さ）は変化しないが、他の実施形態においては、上記実施形態と同様に示唆画像５６の透明度を変化させるようにしてもよい。すなわち、示唆画像５６の形状及び透明度の両方を変化させるようにしてもよい」、【０２０８】には「示唆演出の実行中に示唆画像の表示形態や形状を変化させずに示唆画像を表示してもよい」と記載されているから、引用文献１には、
示唆画像５６が表示される示唆演出が行われる場合において、突出状態でボタン演出が行われる場合と通常状態でボタン演出が行われる場合とがある場合に、該示唆画像を透明度を変化させるようにして形状を変化させずに表示する示唆演出を行
　したがって、上記（ｆ−１）で言及したように示唆演出を行うのは示唆画像表示手段であるから、引用文献１には、
示唆画像表示手段は、示唆画像５６が表示される示唆演出が行われる場合において、突出状態でボタン演出が行われる場合と通常状態でボタン演出が行われる場合とがある場合、液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間にわたって該示唆画像５６を表示し、該示唆画像を透明度を変化させるようにして形状を変化させずに表示する示唆演出を行
（ｈ）上記（カ）の【０１９３】には「示唆画像による示唆演出によってボタン演出の実行を示唆する」、【０１９４】には「示唆画像を、ボタン画像よりも不明瞭な態様で（半透明で）表示することによって、遊技者は示唆画像とボタン画像とを容易に区別することができる」、【０１９７】には「上記示唆画像表示手段は、上記第２の態様（半透明）で表示される示唆画像を、所定期間（ボタン画像５５の表示期間）が近づくにつれて第１の態様（通常の表示態様）に次第に近づくように表示態様を変化させる」と記載されている。
　したがって、引用文献１には、
示唆演出は、示唆画像をボタン画像よりも不明瞭な態様で（半透明で）表示し、上記第２の態様（半透明）で表示される示唆画像を、所定期間（ボタン画像５５の表示期間）が近づくにつれて第１の態様（通常の表示態様）に次第に近づくように表示態様を変化させる
（ｉ）上記（カ）の【０１９２】には「パチンコ遊技機１」と記載されている。
　したがって、引用文献１には、
パチンコ遊技機１
　したがって、上記（ア）〜（キ）の記載事項および上記（ａ）〜（ｉ）認定事項を総合すれば、引用文献１には、次の発明が記載されている（以下、「引用発明」という。ａ〜ｉは引用発明を分説するため当審で付した。）。
「ａ　第１始動口スイッチ１１１からの検知信号が入力されたタイミングで取得情報としての各種乱数を取得し、取得した乱数を用いて第１特別図柄判定を実行するメインＣＰＵ１０１と、
ｂ　第１始動口１１に遊技球が入賞すると、第１特別図柄表示器４１において特別図柄の変動表示が開始され、これに伴い、３列表示された装飾図柄が上から下にスクロールするように、装飾図柄５０の変動表示が開始される液晶表示装置５と、
ｃ　遊技者が押下することによって操作情報を入力するための押ボタンである演出ボタン２６と、
ｄ　変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定し、ボタン演出の内容に応じて示唆演出の演出内容（示唆画像の内容及び表示パターン）を決定するサブＣＰＵ１３１と、
ｅ　演出ボタン２６の有効ではない状態と有効な状態とを切り換える手段と、を備え、
ｆ　前記サブＣＰＵ１３１は操作画像表示手段と示唆画像表示手段とを備え、
ｆ−１　演出ボタン２６の有効ではない状態中に、演出ボタン２６の有効な状態への切り換えを示唆する示唆演出を示唆画像表示手段であり、
ｆ−２　演出ボタン２６の有効な状態中に、演出ボタン２６に対する操作を促す操作画像である、突出状態の演出ボタン２６を表すボタン画像５２又は通常状態の演出ボタン２６を表すボタン画像５５のいずれか一方を第１の態様（通常の表示態様）で画面に表示する操作画像表示手段であり、
ｇ　示唆画像表示手段は、示唆画像５６が表示される示唆演出が行われる場合において、突出状態でボタン演出が行われる場合と通常状態でボタン演出が行われる場合とがある場合、液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間にわたって該示唆画像５６を表示し、該示唆画像を透明度を変化させるようにして形状を変化させずに表示する示唆演出を行い、
ｈ　示唆演出は、示唆画像をボタン画像よりも不明瞭な態様で（半透明で）表示し、上記第２の態様（半透明）で表示される示唆画像を、所定期間（ボタン画像５５の表示期間）が近づくにつれて第１の態様（通常の表示態様）に次第に近づくように表示態様を変化させる
ｉ　パチンコ遊技機１。」
（３）対比・判断
　本件補正発明と引用発明とを対比する。対比の見出しとしての（ａ）〜（ｉ）は引用発明の分説構成と対応させた。
（ａ）引用発明の「第１始動口スイッチ１１１からの検知信号が入力され」ること、「取得した乱数を用いて第１特別図柄判定を実行する」ことは、それぞれ本件補正発明の「所定条件の成立」、「当り抽選を行う」ことに相当するから、引用発明の「メインＣＰＵ１０１」は、本件補正発明の「抽選手段」に相当する。
　したがって、引用発明の「第１始動口スイッチ１１１からの検知信号が入力されたタイミングで取得情報としての各種乱数を取得し、取得した乱数を用いて第１特別図柄判定を実行するメインＣＰＵ１０１」は、本件補正発明の「所定条件の成立を契機に当り抽選を行う抽選手段」に相当する。
（ｂ）引用発明の「３列表示された装飾図柄」は、本件補正発明の「複数の絵柄」に相当する。また、引用発明の「装飾図柄５０の変動表示が開始される」ことは、変動表示することが可能であるといえるから、本願発明の「複数の絵柄を変動表示可能」であることに相当する。これらのことから、引用発明の「３列表示された装飾図柄が上から下にスクロールするように、装飾図柄５０の変動表示」することは、本件補正発明の「複数の絵柄を変動表示可能」であることに相当する。
　また、引用発明の「第１特別図柄表示器４１において特別図柄の変動表示が開始され」ることが、上記（ａ）で言及した引用発明の「メインＣＰＵ１０１」による「第１特別図柄判定」の結果に基づいているといえるので、「これに伴」う、引用発明の「３列表示された装飾図柄が上から下にスクロールするように、装飾図柄５０の変動表示が開始される」こともまた、上記（ａ）で言及した引用発明の「メインＣＰＵ１０１」による「第１特別図柄判定」の結果に基づいているといえる。
　したがって、上記（ａ）で言及したように引用発明の「メインＣＰＵ１０１」は、本件補正発明の「抽選手段」に相当するから、引用発明の「第１始動口１１に遊技球が入賞すると、第１特別図柄表示器４１において特別図柄の変動表示が開始され、これに伴い、３列表示された装飾図柄が上から下にスクロールするように、装飾図柄５０の変動表示が開始される液晶表示装置５」は、本件補正発明の「前記抽選手段での抽選結果に基づいて複数の絵柄を変動表示可能な表示手段」に相当する。
（ｃ）引用発明の「遊技者が押下すること」は、押下することが可能であるといえるから、本件補正発明の「遊技者が操作可能」であることに相当する。このため、引用発明の「演出ボタン２６」は、本件補正発明の「操作手段」に相当する。
　したがって、引用発明の「遊技者が押下することによって操作情報を入力するための押ボタンである演出ボタン２６」は、本件補正発明の「遊技者が操作可能な操作手段」に相当する。
（ｄ）引用発明の「ボタン演出の内容（実行の有無、及び、実行する場合には演出ボタン２６を突出状態とするか通常状態とするか）を決定し、ボタン演出の内容に応じて示唆演出の演出内容（示唆画像の内容及び表示パターン）を決定する」ことは、演出ボタン２６のボタン演出を実行しているといえ、実行することが可能であるともいえるので、本件補正発明の「前記操作手段に関連する操作演出を実行可能」であることに相当する。このため、引用発明の「サブＣＰＵ１３１」は、本件補正発明の「操作演出実行手段」に相当する。
　したがって、引用発明の「変動開始コマンドを受信した時点で取得した演出乱数を用いた抽選処理を行うことによって、ボタン演出の内容（実行の有無、及び、実行する場合には演出ボタン２６を突出状態とするか通常状態とするか）を決定し、ボタン演出の内容に応じて示唆演出の演出内容（示唆画像の内容及び表示パターン）を決定するサブＣＰＵ１３１」は、本件補正発明の「前記操作手段に関連する操作演出を実行可能な操作演出実行手段」に相当する。
（ｅ）引用発明の「演出ボタン２６の有効ではない状態」、「演出ボタン２６の」「有効な状態」は、それぞれ本件補正発明の「前記操作手段の操作検出が無効な検出無効状態」、「操作検出が有効な検出有効状態」に相当する。
　したがって、引用発明の「演出ボタン２６の有効な状態と有効ではない状態とを切り換える手段」は、本件補正発明の「前記操作手段の操作検出が無効な検出無効状態と、操作検出が有効な検出有効状態とに切り換え可能な切換手段」に相当する。
（ｆ）上記（ｄ）で言及したように引用発明の「サブＣＰＵ１３１」は、本件補正発明の「操作演出実行手段」に相当し、下記（ｆ−１）、（ｆ−２）で言及するように引用発明の「示唆画像表示手段」、「操作画像表示手段」は、本件補正発明の「誘導報知手段」、「操作報知手段」に相当する。
　したがって、引用発明の「前記サブＣＰＵ１３１は操作画像表示手段と示唆画像表示手段とを備え」ることは、本件補正発明の「前記操作演出実行手段は、」「誘導報知手段と、」「操作報知手段と、を備え」ることに相当する。
（ｆ−１）引用発明の「演出ボタン２６の有効ではない状態」、「示唆演出」は、それぞれ、本件補正発明の「前記検出無効状態」、「誘導報知」に相当する。
　次に、引用発明の「示唆演出を行う」ことは、示唆演出を実行することが可能であるといえるから、本願発明の「誘導報知を実行可能」であることに相当するので、引用発明の「示唆画像表示手段」は、本件補正発明の「誘導報知手段」に相当する。
　したがって、引用発明の「演出ボタン２６の有効ではない状態中に、演出ボタン２６の有効な状態への切り換えを示唆する示唆演出を示唆画像表示手段」は、本件補正発明の「前記検出無効状態中に、遊技者に対して前記検出有効状態への切り換えを示唆する誘導報知を実行可能な誘導報知手段」に相当する。
（ｆ−２）引用発明の「演出ボタン２６に対する操作を促す操作画像である突出状態の演出ボタン２６を表すボタン画像５２」「を第１の態様（通常の表示態様）で画面に表示する」ことは、本件補正発明の「遊技者に対して前記操作手段の操作を促すための第１操作報知」に相当する。また、引用発明の「演出ボタン２６に対する操作を促す操作画像である」「通常状態の演出ボタン２６を表すボタン画像５５」「を第１の態様（通常の表示態様）で画面に表示する」ことは、「通常状態の演出ボタン２６を表すボタン画像５５」は「突出状態の演出ボタン２６を表すボタン画像５２」とは異なるので、本件補正発明の「該第１操作報知とは異なる第２操作報知」に相当する。このため、引用発明の「操作画像表示手段」は、本件補正発明の「操作報知手段」に相当する。
　また、引用発明の「演出ボタン２６に対する操作を促す操作画像である突出状態の演出ボタン２６を表すボタン画像５２又は通常状態の演出ボタン２６を表すボタン画像５５のいずれか一方を第１の態様（通常の表示態様）で画面に表示する」ことは、ボタン画像５２又はボタン画像５５のいずれか一方を第１の態様で画面に表示することが可能であるといえるから、本願発明の「第１操作報知と、該第１操作報知とは異なる第２操作報知とを実行可能」であることに相当する。
　したがって、引用発明の「演出ボタン２６の有効な状態中に、演出ボタン２６に対する操作を促す操作画像である、突出状態の演出ボタン２６を表すボタン画像５２又は通常状態の演出ボタン２６を表すボタン画像５５のいずれか一方を第１の態様（通常の表示態様）で画面に表示する操作画像表示手段」は、本件補正発明の「前記検出有効状態中に、少なくとも、遊技者に対して前記操作手段の操作を促すための第１操作報知と、該第１操作報知とは異なる第２操作報知とを実行可能な操作報知手段」に相当する。
（ｇ）第一に、上記（ｆ−２）で言及したように引用発明の「演出ボタン２６に対する操作を促す操作画像である突出状態の演出ボタン２６を表すボタン画像５２」「を第１の態様（通常の表示態様）で画面に表示する」こと、「演出ボタン２６に対する操作を促す操作画像である」「通常状態の演出ボタン２６を表すボタン画像５５」「を第１の態様（通常の表示態様）で画面に表示する」ことは、それぞれ、本件補正発明の「遊技者に対して前記操作手段の操作を促すための第１操作報知」、「該第１操作報知とは異なる第２操作報知」に相当する。
　第二に、引用発明の「液晶表示装置５に表示される装飾図柄５０の変動が開始された後に示唆画像５６を表示」することについて、示唆演出は示唆画像５６による演出であり、装飾図柄５０の変動が開始された後に示唆画像５６を表示することは示唆演出の開始であるといえるので、本件補正発明の「前記誘導報知の開始」に相当する。よって、引用発明の「液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間」は、本件補正発明の「前記誘導報知の開始から該第１操作報知又は第２操作報知が開始するまでの期間」に相当する。
　第三に、引用発明の「該示唆画像を透明度を変化させるようにして形状を変化させずに表示する示唆演出を行」うこととは、示唆演出における示唆画像５６が形状を変化させずに透明度のみを変化させるから、突出状態でボタン演出が行われる場合と通常状態でボタン演出が行われる場合とのいずれの場合でも、示唆画像５６は、突出状態の演出ボタン２６を表すボタン画像５２又は通常状態の演出ボタン２６を表すボタン画像５５のいずれかに変化して表示されるまでは、透明度のみが変化して形状が変化しないので、示唆演出における示唆画像５６は共に同じ内容のものであるといえる。よって、引用発明の「該示唆画像を透明度を変化させるようにして形状を変化させずに表示する示唆演出」は、本件補正発明の「共通の該誘導報知」に相当する。
　第四に、引用発明の「示唆演出を行」うこととは、示唆演出を実行することが可能であるといえるから、本願発明の「該誘導報知を実行可能であ」ることに相当する。
　したがって、引用発明の「示唆画像表示手段は、示唆画像５６が表示される示唆演出が行われる場合において、突出状態でボタン演出が行われる場合と通常状態でボタン演出が行われる場合とがある場合、液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間にわたって該示唆画像５６を表示し、該示唆画像を透明度を変化させるようにして形状を変化させずに表示する示唆演出を行」うことは、本件補正発明の「前記誘導報知手段は、前記操作報知手段により前記第１操作報知と前記第２操作報知とのいずれが実行される場合においても、前記誘導報知の開始から該第１操作報知又は第２操作報知が開始するまでの期間に亘って、共通の該誘導報知を実行可能であ」ることに相当する。
（ｈ）引用発明の「示唆画像をボタン画像よりも不明瞭な態様で（半透明で）表示し、上記第２の態様（半透明）で表示される示唆画像を、所定期間（ボタン画像５５の表示期間）が近づくにつれて第１の態様（通常の表示態様）に次第に近づくように表示態様を変化させる」ことは、ボタン画像よりも不明瞭な態様から、第１の態様（通常の表示態様）に次第に近づくように表示態様を変化させていることから、ボタン画像よりも不明瞭な態様から、第１の態様（通常の表示態様）にボタン画像が徐々に形成されているといえるので、本件補正発明の「前記操作手段を模した画像が徐々に形成されていく表示態様の画像表示である」ことに相当する。
　したがって、引用発明の「示唆演出は、示唆画像をボタン画像よりも不明瞭な態様で（半透明で）表示し、上記第２の態様（半透明）で表示される示唆画像を、所定期間（ボタン画像５５の表示期間）が近づくにつれて第１の態様（通常の表示態様）に次第に近づくように表示態様を変化させる」ことは、本件補正発明の「前記誘導報知は、前記操作手段を模した画像が徐々に形成されていく表示態様の画像表示である」ことに相当する。
（ｉ）引用発明の「パチンコ遊技機１」は、本件補正発明の「遊技機」に相当する。
　上記（ａ）〜（ｉ）の検討より、本件補正発明と引用発明とは、
「Ａ　所定条件の成立を契機に当り抽選を行う抽選手段と、
Ｂ　前記抽選手段での抽選結果に基づいて複数の絵柄を変動表示可能な表示手段と、
Ｃ　遊技者が操作可能な操作手段と、
Ｄ　前記操作手段に関連する操作演出を実行可能な操作演出実行手段と、
Ｅ　前記操作手段の操作検出が無効な検出無効状態と、操作検出が有効な検出有効状態とに切り換え可能な切換手段と、を備え、
Ｆ　前記操作演出実行手段は、
Ｆ−１　前記検出無効状態中に、遊技者に対して前記検出有効状態への切り換えを示唆する誘導報知を実行可能な誘導報知手段と、
Ｆ−２　前記検出有効状態中に、少なくとも、遊技者に対して前記操作手段の操作を促すための第１操作報知と、該第１操作報知とは異なる第２操作報知とを実行可能な操作報知手段と、を備え、
Ｇ　前記誘導報知手段は、前記操作報知手段により前記第１操作報知と前記第２操作報知とのいずれが実行される場合においても、前記誘導報知の開始から該第１操作報知又は第２操作報知が開始するまでの期間に亘って、共通の該誘導報知を実行可能であり、
Ｈ　前記誘導報知は、前記操作手段を模した画像が徐々に形成されていく表示態様の画像表示である
Ｉ　遊技機。」
である点で一致し、相違点がない。
（４）審判請求人の主張について
　平成２９年２月２２日付け審判請求書において請求人は
　「上記相違点について検討すると、引用発明１では、共通の誘導報知として、ボタン画像である示唆画像５６を表示しているが、この示唆画像５６の表示は、最初からボタンを模した画像（完成形のボタン画像）の表示である。このため、示唆画像５６が表示された時点で検出有効状態（ボタン操作検出が有効）になったものと遊技者が誤解することがある。 
　引用発明１の［０２０１］には、「なお、図２３では示唆画像５６の透明度（濃さ）は変化しないが、他の実施形態においては、上記実施形態と同様に示唆画像５６の透明度を変化させるようにしてもよい。すなわち、示唆画像５６の形状及び透明度の両方を変化させるようにしてもよい。」と記載されている。 
 　しかし、引用発明１において、「形状の変化」は、通常状態（平らな状態）から突出状態への変化、「透明度の変化」は、ボタン画像の透明度の変化（徐々に鮮明になる）であり、いずれの変化でも、最初に表示される画像はボタンであると分かる画像（示唆画像５６）である。 
　したがって、示唆画像５６が表示された時点で検出有効状態（ボタン操作検出が有効）になったものと遊技者が誤解してしまう。 」と主張（以下、主張１という）し、
　「通常状態（平らな状態）のボタン画像（図２３（Ａ））は、完成形のボタン画像ではなく、突出状態のボタン画像（図２３（Ｄ））が完成形であるとしても、非完成形の通常状態のボタン画像でもボタンを模した画像であると認識される。このため、最初に非完成形の通常状態のボタン画像が表示された時点で検出有効状態（ボタン操作検出が有効）になったものと遊技者が誤解することがある。」と主張（以下、主張２という）し、
　「また、「透明度の変化」は、形状の変化はないものであり、本願発明の「徐々に形成されていく（形状が変化する）」ものとは異なる表示態様である。」と主張（以下、主張３という）している。
　請求人の上記主張１、３について検討すると、「誘導報知」については、本件補正発明は「前記誘導報知は、前記操作手段を模した画像が徐々に形成されていく表示態様の画像表示である」と特定されるのみであるから、本件補正発明において、誘導報知で最初に表示される画像が、操作手段であると分からない画像に限定されていない。さらに、上記「誘導報知」については、本件補正発明は、操作手段であると分からない画像から形状が変化して操作手段を模した画像が徐々に形成されていくことまで特定するものではないため、請求人の上記主張１、３は採用できない。
　また、本願明細書の記載を参酌するに、【０３５７】に記載される「ボタンのような形状の画像が徐々に形成されていき、操作ボタン１３の有効化状態への切り換えを示唆するフェードイン（以下、ＦＩという）画像３２１（図３７参照）を表示する」様子については、画像が具体的にどのように形成されて表示されるのか（例えば、ボタンであると分からない画像から形状が変化してボタンのような形状の画像が徐々に形成されていき、フェードイン画像３２１を表示するような様子等）については記載されていない。
　なお、引用文献１の【０１９４】には「また、本実施形態のように、示唆画像を、ボタン画像よりも不明瞭な態様で（半透明で）表示することによって、遊技者は示唆画像とボタン画像とを容易に区別することができる。このとき、示唆画像を見ても遊技者は演出ボタン２６に対する操作を促されているとは考えないので、示唆画像の表示期間を演出ボタン２６の有効期間と遊技者が誤認識することを防止することができる」と記載されており、示唆画像を、ボタン画像よりも不明瞭な態様で（半透明で）表示することによって、示唆画像の表示期間を演出ボタン２６の有効期間と遊技者が誤認識することは防止されている。
　次に、請求人の上記主張２について検討すると、上記「第２　３．（２）」に示したとおり、引用文献１の【０２０１】の「図２３では示唆画像５６の透明度（濃さ）は変化しないが、他の実施形態においては、上記実施形態と同様に示唆画像５６の透明度を変化させるようにしてもよい。すなわち、示唆画像５６の形状及び透明度の両方を変化させるようにしてもよい」、【０２０８】の「示唆演出の実行中に示唆画像の表示形態や形状を変化させずに示唆画像を表示してもよい」なる記載に基づき、引用発明の構成ｇは、「示唆画像表示手段は、示唆画像５６が表示される示唆演出が行われる場合において、突出状態でボタン演出が行われる場合と通常状態でボタン演出が行われる場合とがある場合、液晶表示装置５に表示される装飾図柄５０の変動が開始された後に示唆画像５６を表示し、突出状態の演出ボタン２６を表すボタン画像５２又は通常状態の演出ボタン２６を表すボタン画像５５が表示されるまでの期間にわたって該示唆画像５６を表示しており、該示唆画像は透明度を変化させるようにして形状を変化させずに表示」するものであるから、請求人の上記主張２は採用できない。
　よって、請求人の主張１−３は採用できない。 
（５）小括
　本件補正発明は、引用発明と同一である。また、仮に相違点があったとしても、本件補正発明は、引用発明から当業者が容易に発明できたものである。
　よって、本件補正発明は、特許法第２９条第１項第３号に該当し又は特許法第２９条第２項の規定により、特許出願の際独立して特許を受けることができない。
４．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明
　本件補正発明は、上記のとおり却下されたので、本願の請求項１に係る発明（以下、「本願発明」という）は、平成２８年７月１１日付けの手続補正書により補正された、上記「第２　１．」の本件補正の概要において示したとおりのものである。
１．引用文献１
　原査定の拒絶理由に引用された引用文献１の記載事項は、上記「第２　３．（２）」において示したとおりのものである。
２．対比・判断
　本願発明は、本件補正発明の発明を特定するために必要な事項である「誘導報知手段」の「誘導報知」について、「前記誘導報知は、前記操作手段を模した画像が徐々に形成されていく表示態様の画像表示であること」なる記載について、上記「第２　１．」の下線部の「徐々に」と限定する補正をした記載を省いたものである。
　そうすると、上記「第２　３．（３）」において示したとおり、本件補正発明と引用発明とに相違点はないから、本願発明と引用発明との相違点もない。
　したがって、本願発明は、引用発明と同一であり、引用文献１に記載された発明であるということができる。また、仮に相違点があったとしても、本願発明は、引用発明から当業者が容易に発明できたものである。
３．むすび
　以上のとおりであるから、本願発明は、特許法第２９条第１項第３号に該当し、特許を受けることができない。または、本願発明は、特許法第２９条第２項の規定により特許を受けることができない。
　よって、結論のとおり審決する。